(57)【要約】      （修正有）【課題】容易に調光可能な照明器具を提供する。【解決手段】両方向に回転可能なダイヤル部１０と、ダイヤル部１０にかけ回され、ダイヤル部１０を回転させるための輪状の操作紐２０と、ダイヤル部１０の回転に応じて抵抗値が変化する可変抵抗を有し、その可変抵抗に応じて制御回路は蛍光灯３０ａ，３０ｂの明るさを制御する。【選択図】図１
2009205838.tif 000002
【特許請求の範囲】
【請求項１】
両方向に回転可能なダイヤル部と、
前記ダイヤル部にかけ回され、該ダイヤル部を回転させるための輪状の操作紐と、
前記ダイヤル部の回転に応じて明るさが変化する照明部とを有する照明器具。
【請求項２】
請求項１に記載の照明器具において、
前記ダイヤル部の回転によって抵抗値が変化する可変抵抗を有し、
前記照明部は、前記可変抵抗の抵抗値に応じて明るさが変化する照明器具。
【請求項３】
請求項１に記載の照明器具において、
前記照明部は、複数の照明部材からなり、
前記ダイヤルの回転に応じて前記複数の照明部材のうち点灯する照明部材の数を設定するスイッチ部を有する照明器具。
【発明の詳細な説明】
【技術分野】
【０００１】
本発明は、照明器具に関し、特に、調光技術に関する。
【背景技術】
【０００２】
従来より、照明器具は、一般家庭に限らず、会社、企業団体、店舗等を含めた社会全体において必要不可欠なものである。このような照明器具としては、蛍光灯や白熱灯等が用いられており、また、可変抵抗を用いたり、点灯する蛍光灯や白熱灯の数を変えたりすることにより調光することも行われている。
【０００３】
このような照明器具においては、ＯＮ／ＯＦＦや、上述した調光を引き紐を用いて行うものがあり、引き紐を引く度に、ＯＮ／ＯＦＦが切り替わったり、光の明るさが変わったりする（例えば、特許文献１参照。）。
【特許文献１】特開平１０−３４０６１７号公報
【発明の開示】
【発明が解決しようとする課題】
【０００４】
しかしながら、上述したように引き紐を有する照明器具においては、引き紐を引くという動作のみによってＯＮ／ＯＦＦが切り替わったり、光の明るさが変わったりするものであるため、光の明るさは一方向のみに変化していくことになる。そのため、例えば、１０段の調光を有する照明器具の１０段目の明るさを設定する場合、引き紐を９回引かなければならず、手間がかかってしまうという問題点がある。
【０００５】
本発明は、上述したような従来の技術が有する問題点に鑑みてなされたものであって、容易に調光可能な照明器具を提供することを目的とする。
【課題を解決するための手段】
【０００６】
上記目的を達成するために本発明は、
両方向に回転可能なダイヤル部と、
前記ダイヤル部にかけ回され、該ダイヤル部を回転させるための輪状の操作紐と、
前記ダイヤル部の回転に応じて明るさが変化する照明部とを有する。
【発明の効果】
【０００７】
以上説明したように本発明においては、ダイヤル部にかけ回された操作紐を、ダイヤル部が所望の明るさに応じた方向に回転するように引くことにより調光することになるため、調光が容易なものとなる。
【発明を実施するための最良の形態】
【０００８】
以下に、本発明の実施の形態について図面を参照して説明する。
【０００９】
（第１の実施の形態）
図１は、本発明の照明器具の第１の実施の形態を示す図であり、（ａ）は外観図、（ｂ）は（ａ）に示したダイヤル部１０と操作紐２０との関係を示す図である。
【００１０】
本形態は図１（ａ）に示すように、照明部を構成する２つの蛍光灯３０ａ，３０ｂと、蛍光灯３０ａ，３０ｂのＯＮ／ＯＦＦ及び明るさを設定するための操作紐２０と、操作紐２０がかけ回されたダイヤル部１０とを有している。
【００１１】
ダイヤル部１０は図１（ｂ）に示すように、周囲に等間隔で凸部１１を有し、両方向に回転可能となっている。操作紐２０は、輪状となっており、図１（ｂ）に示すように、等間隔で係合部２１が設けられている。この係合部２１は、ダイヤル部１０の凸部１１間に係合する形状となっており、そのため、凸部１１のピッチと係合部２１のピッチとが同一となっている。この操作紐２０の係合部２１がダイヤル部１０の凸部１１間に係合することにより、輪状となった操作紐２０の左右いずれか一方を下方に引くことによって、ダイヤル部１０がそれに応じた方向に回転するようになっている。
【００１２】
図２は、図１に示した照明器具の機能ブロック図である。
【００１３】
図１に示した照明器具は図２に示すように、可変抵抗４０及び制御回路５０を有している。可変抵抗４０は、ダイヤル部１０の回転と連動しており、ダイヤル部１０の回転によって抵抗値が変化する。制御回路５０は、可変抵抗４０の抵抗値に応じて２つの蛍光灯３０ａ，３０ｂの明るさをそれぞれ制御する。
【００１４】
以下に、上記のように構成された照明器具の動作について説明する。
【００１５】
上記のように構成された照明器具において、輪状となった操作紐２０の左右いずれか一方を下方に引くと、ダイヤル部１０がそれに応じた方向に回転する。すると、可変抵抗４０の抵抗値がダイヤル部１０の回転に連動して変化し、制御回路５０における制御によって、蛍光灯３０ａ，３０ｂのそれぞれが可変抵抗４０の抵抗値に応じた明るさに点灯する。例えば、蛍光灯３０ａ，３０ｂの明るさが可変抵抗４０の抵抗値に応じてそれぞれ４段階に変化するものとする。ダイヤル部１０がある状態では、蛍光灯３０ａ，３０ｂが消灯しており、その状態からダイヤル部１０が時計回りに回転すると、ダイヤル部１０の回転に伴って可変抵抗４０の抵抗値が変化し、まず、蛍光灯３０ａ，３０ｂがそれぞれ最も明るい明るさに点灯する。その後、ダイヤル部１０が時計回りに回転していくと、蛍光灯３０ａ，３０ｂの明るさがそれぞれ４段階に暗くなっていき、最終的には蛍光灯３０ａ，３０ｂがそれぞれ消灯した状態に戻る。また、蛍光灯３０ａ，３０ｂが消灯した状態からダイヤル部１０が反時計回りに回転すると、ダイヤル部１０の回転に伴って可変抵抗４０の抵抗値が変化し、まず、蛍光灯３０ａ，３０ｂがそれぞれ最も暗い明るさに点灯する。その後、ダイヤル部１０が反時計回りに回転していくと、蛍光灯３０ａ，３０ｂの明るさがそれぞれ４段階に明るくなっていき、最終的には蛍光灯３０ａ，３０ｂの明るさがそれぞれ最も明るくなり、さらにダイヤル部１０が反時計回りに回転すると、蛍光灯３０ａ，３０ｂがそれぞれ消灯した状態に戻る。
【００１６】
このように、本形態における照明器具においては、ダイヤル部１０が両方向に回転可能となっており、操作紐２０の左右いずれか一方を下方に引くことによるダイヤル部１０の回転に応じて蛍光灯３０ａ，３０ｂの明るさが変化していくため、蛍光灯３０ａ，３０ｂの明るさの調整が連続調光となり、所望の明るさに設定する際に操作紐２０を引く回数を削減することができる。
【００１７】
（第２の実施の形態）
図３は、本発明の照明器具の第２の実施の形態を示す外観図である。
【００１８】
本形態は図３に示すように、照明部を構成する照明部材である４つの白熱灯６０ａ〜６０ｄと、白熱灯６０ａ〜６０ｄのＯＮ／ＯＦＦを設定するための操作紐２０と、操作紐２０がかけ回されたダイヤル部１０とを有している。
【００１９】
ダイヤル部１０と操作紐２０の構造は図１に示したものと同様であり、ダイヤル部１０と操作紐２０の関係も図１に示したものと同様である。
【００２０】
図４は、図３に示した照明器具の機能ブロック図である。
【００２１】
図３に示した照明器具は図４に示すように、白熱灯６０ａ〜６０ｄのＯＮ／ＯＦＦをそれぞれ切り替えるための４つのスイッチ７１ａ〜７１ｄを具備するスイッチ部７０を有している。この４つのスイッチ７１ａ〜７１ｄはそれぞれ、ダイヤル部１０の回転によってＯＮ／ＯＦＦが切り替えられる。
【００２２】
以下に、上記のように構成された照明器具の動作について説明する。
【００２３】
上記のように構成された照明器具において、輪状となった操作紐２０の左右いずれか一方を下方に引くと、ダイヤル部１０がそれに応じた方向に回転する。すると、スイッチ部７０を構成するスイッチ７１ａ〜７１ｄのＯＮ／ＯＦＦがダイヤル部１０の回転に連動して切り替わり、白熱灯６０ａ〜６０ｄがスイッチ７１ａ〜７１ｄのＯＮ／ＯＦＦ状態に応じて点灯する。例えば、ダイヤル部１０がある状態では、スイッチ７１ａ〜７１ｄの全てがＯＦＦとなっており、白熱灯６０ａ〜６０ｄが全て消灯している。この状態からダイヤル部１０が時計回りに回転すると、ダイヤル部１０の回転に伴ってスイッチ７１ａ〜７１ｄの全てがＯＮとなり、それにより、白熱灯６０ａ〜６０ｄが全て点灯する。その後、ダイヤル部１０が時計回りに回転していくと、スイッチ７１ａ〜７１ｄが順次ＯＦＦになっていき、それにより、白熱灯６０ａ〜６０ｄが順次消灯していく。そして、最終的にはスイッチ７１ａ〜７１ｄの全てがＯＦＦとなり、それにより、白熱灯６０ａ〜６０ｄが全て消灯した状態に戻る。また、白熱灯６０ａ〜６０ｄが全て消灯した状態からダイヤル部１０が反時計回りに回転すると、まず、スイッチ７１ｄのみがＯＮとなり、それにより、白熱灯６０ｄのみが点灯する。その後、ダイヤル部１０が反時計回りに回転していくと、スイッチ７１ｃ，７１ｂ，７１ａが順次ＯＮになっていき、それにより、白熱灯６０ｃ，６０ｂ，６０ａが順次点灯していき、最終的にはスイッチ７１ａ〜７１ｄの全てがＯＮとなり、それにより、白熱灯６０ａ〜６０ｄが全て点灯した状態となる。そして、さらにダイヤル部１０が反時計回りに回転すると、スイッチ７１ａ〜７１ｄの全てがＯＦＦとなり、それにより、白熱灯６０ａ〜６０ｄが全て消灯した状態に戻る。
【００２４】
このように、本形態における照明器具においては、ダイヤル部１０が両方向に回転可能となっており、操作紐２０の左右いずれか一方を下方に引くことによるダイヤル部１０の回転に応じて白熱灯６０ａ〜６０ｄのうち点灯する白熱灯の数が変化するため、白熱灯６０ａ〜６０ｄを用いた明るさの調整が連続調光となり、所望の明るさに設定する際に操作紐２０を引く回数を削減することができる。
【図面の簡単な説明】
【００２５】
【図１】本発明の照明器具の第１の実施の形態を示す図であり、（ａ）は外観図、（ｂ）は（ａ）に示したダイヤル部と操作紐との関係を示す図である。
【図２】図１に示した照明器具の機能ブロック図である。
【図３】本発明の照明器具の第２の実施の形態を示す外観図である。
【図４】図３に示した照明器具の機能ブロック図である。
【符号の説明】
【００２６】
１０    ダイヤル部
１１    凸部
２０    操作紐
２１    係合部
３０ａ，３０ｂ    蛍光灯
４０    可変抵抗
５０    制御回路
６０ａ〜６０ｄ    白熱灯
７０    スイッチ部
７１ａ〜７１ｄ    スイッチ
【図１】
2009205838.tif 000003
【図２】
2009205838.tif 000004
【図３】
2009205838.tif 000005
【図４】
2009205838.tif 000006